(57)【要約】【課題】ＨＤＭＩ  Ｓｏｕｒｃｅとの接続の有効性に応じて、ＨＤＭＩ制御ＬＳＩの電源オン／オフ操作を行なうことによって省電力動作を実現する。【解決手段】ＨＤＭＩ  Ｓｉｎｋ側から出力されるＨＰＤ信号をＣＰＵとＨＤＭＩ制御ＬＳＩで共有している。ＣＰＵは、当該ＨＤＭＩ  Ｓｏｕｒｃｅが映像信号を出力する動作状態ではないときには、ＨＤＭＩ制御ＬＳＩをリセット状態にして、消費電力を低減する。ＨＤＭＩ  Ｓｉｎｋ側における電源の瞬断や高速な入力切り替えが起こったとき、その際に発生するＨＰＤ信号ノイズをＨＤＭＩ制御ＬＳＩで検出する。【選択図】  図４
2008158595.tif 000002
【特許請求の範囲】
【請求項１】
所定のインターフェース規格に則って外部機器を接続する情報処理装置であって、
有効に接続された外部機器への信号出力を制御する制御ＬＳＩと、
前記制御ＬＳＩを含む装置内の動作を統括的に制御するＣＰＵを備え、
前記ＣＰＵは、外部機器との接続の有効性を検出する検出手段と、前記検出手段による検出結果に応じて前記制御ＬＳＩのリセット並びにリセット状態の解除を制御する制御ＬＳＩ制御手段と、前記制御ＬＳＩに接続するインターフェース回路を含む、
ことを特徴とする情報処理装置。
【請求項２】
前記所定のインターフェース規格では、前記外部機器は機器情報を提供することと、ホット・プラグ検出信号を出力することが取り決められており、
前記制御ＬＳＩと前記検出手段は、前記外部機器から出力されるホット・プラグ検出信号を共有し、
前記制御ＬＳＩは、ホット・プラグ検出信号に応答して、前記外部機器から機器情報の読み取る処理動作を起動し、
前記ＣＰＵは、前記インターフェース回路を介して前記制御ＬＳＩから前記外部機器の機器情報を取得する、
ことを特徴とする請求項１に記載の情報処理装置。
【請求項３】
前記の所定のインターフェース規格は、映像信号の出力に関して取り決めたＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）である、
ことを特徴とする請求項２に記載の情報処理装置。
【請求項４】
前記制御ＬＳＩ制御手段は、前記検出手段により有効な外部機器が接続されていないときには前記制御ＬＳＩをリセットし、有効な外部機器が接続されたことが検出されたことに応じて前記制御ＬＳＩのリセット状態を解除する、
ことを特徴とする請求項２に記載の情報処理装置。
【請求項５】
前記外部機器へ信号を出力する出力有効動作モードと、前記外部機器へ信号を出力しない出力無効動作モードを備え、
前記制御ＬＳＩ制御手段は、出力無効動作モード下では前記制御ＬＳＩをリセットし、出力有効動作モード下で且つホット・プラグ信号を検出できたときに前記制御ＬＳＩのリセット状態を解除する、
ことを特徴とする請求項２に記載の情報処理装置。
【請求項６】
前記制御ＬＳＩのリセット状態では、前記インターフェース回路の動作を停止する、
ことを特徴とする請求項１に記載の情報処理装置。
【請求項７】
前記ＣＰＵは、ウェイク状態と、少なくとも一部の回路モジュールの動作を停止させたスリープ状態とを交互に繰り返す間欠動作を行なう、
ことを特徴とする請求項２に記載の情報処理装置。
【発明の詳細な説明】
【技術分野】
【０００１】
本発明は、所定のインターフェース規格に則って外部機器を接続する情報処理装置に係り、特に、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に則って外部機器と接続する情報処理装置に関する。
【０００２】
さらに詳しくは、本発明は、ＨＤＭＩ  Ｓｏｕｒｃｅとして動作し、ＨＤＭＩ  Ｓｉｎｋとなる外部機器との接続の有効性を検出し、接続が有効であれば機器情報を取得して適切な映像信号を出力する情報処理装置に係り、特に、ＨＤＭＩ  Ｓｉｎｋとの接続の有効性に応じて省電力動作を制御する情報処理装置に関する。
【背景技術】
【０００３】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）は、主に家電やＡＶ機器向けのデジタル映像及び音声入出力用に策定されたインターフェース規格であり（例えば、非特許文献１を参照のこと）、具体的には、パーソナル・コンピュータとディスプレイの接続に使われるデジタル・インターフェースのＤＶＩ（Ｄｉｇｉｔａｌ  Ｖｉｓｕａｌ  Ｉｎｔｅｒｆａｃｅ）をさらに発展させ、１本のケーブルで映像信号、音声信号、及び双方向制御信号を合わせて送受信するように構成されており、取り回しが容易になっている。また、オプションでは制御信号を双方向に伝送させることができ、機器間を中継させることで１台のリモコンを用いて複数のＡＶ機器を制御することができる。
【０００４】
ＨＤＭＩは、物理層には、ＤＶＩにも採用されているディスプレイ映像信号のデジタル伝送方式であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ：遷移時間最短差動信号伝送方式）を使用し、高速なデジタル・データ伝送を実現することができる。ＴＭＤＳは、デジタル・データを差動伝送する手段の１つであり、Ｒ（Ｒｅｄ：赤）／Ｇ（Ｇｒｅｅｎ：緑）／Ｂ（Ｂｌｕｅ：青）という３種類の映像信号と、リファレンス・クロック信号の伝送にそれぞれ１チャネルずつの合計４チャネルからなるリンクで構成される。各映像信号は１０ビットのパラレル信号をシリアル変換し、１クロック周期当たり１０ビットのデータを伝送する。例えば、クロックを５００ＭＨｚとすれば１秒当たり５Ｇビットの映像データを送ることができる（ＨＤＭＩ  ｖｅｒｓｉｏｎ１．３の実効伝送レートは２５０Ｍｂｐｓ〜３．４Ｇｂｐｓである）。
【０００５】
例えば、デジタル映像出力端子に接続されたモニタのスペックを示すスペック情報を取得するスペック情報取得手段と、アナログ映像出力端子に接続されたモニタのアナログ映像出力端子の種類を選択するユーザの選択操作を受け付ける選択操作受付手段と、スペック情報取得手段によって取得されたスペック情報又は選択操作受付手段によって受け付けられたユーザの選択操作の一方を優先させるユーザの設定操作を受け付ける設定操作受付手段と、スペック情報取得手段によって取得されたスペック情報、選択操作受付手段によって受け付けられたユーザの選択操作及び設定操作受付手段によって受け付けられたユーザの設定操作を基に出力すべき映像信号の解像度を決定する決定手段を備えた映像信号処理装置について提案がなされている（例えば、特許文献１を参照のこと）。
【０００６】
図８には、ＨＤＭＩケーブル越しにＨＤＭＩ  ＳｏｕｒｃｅとＨＤＭＩ  Ｓｉｎｋが接続されるＨＤＭＩ通信システムの構成を模式的に示している。また、図９には、ＨＤＭＩインターフェース・コネクタのピン配列（但し、タイプＡ）を示している（表１を参照のこと）。ＨＤＭＩインターフェースを通じて、映像信号を供給するＨＤＭＩ  Ｓｏｕｒｃｅと、映像信号を再生出力するＨＤＭＩ  Ｓｉｎｋとを相互接続する。ＨＤＭＩ  Ｓｏｕｒｃｅは、ＨＤＭＩ  Ｓｉｎｋ内のＥＤＩＤ  ＲＯＭからＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる解像度情報を読み出して、Ｓｉｎｋ側で対応している解像度に変換して映像信号を出力する。
【０００７】
【表１】
2008158595.tif 000003
【０００８】
例えば、ＨＤＭＩインターフェースを備えたカムコーダは、ＨＤＭＩ  Ｓｏｕｒｃｅとして、撮影した動画像又は静止画の映像をＨＤＭＩ対応のテレビ・モニタに供給して、その画面に出力することができる。
【０００９】
ところで、カムコーダのようなバッテリ駆動の機器は、消費電力の低減が重要な技術的課題の１つとなる。勿論、商用ＡＣ電源を利用可能な機器であっても、社会生態学的な観点からは、いっそうの省電力化が好ましい。
【００１０】
例えば、ＨＤＭＩ  Ｓｉｎｋとして機能するカムコーダは、ＨＤＭＩ対応テレビ・モニタなどが外付け接続されているときのみ、ＨＤＭＩ制御ＬＳＩの電源をオンにし、それ以外の場合は電源オフにして、不要な電力の消費を抑えることが好ましい。
【００１１】
図１０には、ＨＤＭＩ  ＳｉｎｋとしてのカムコーダがＨＤＭＩ制御ＬＳＩを通してＨＤＭＩ  Ｓｏｕｒｃｅとしてのテレビ・モニタを接続している様子を模式的に示している。
【００１２】
有効なＨＤＭＩ対応テレビが接続されているかどうかは、ＨＰＤ信号ピンから検出することができる。図示のように、テレビ・モニタ側では、ＨＰＤ信号ピンはプルアップ抵抗Ｒ１０を介して電源電圧Ｖccに接続されている。一方のＨＤＭＩ制御ＬＳＩ側では、ＨＰＤ信号ピンはプルダウン抵抗Ｒ０を介して接地されており、テレビ・モニタが接続されているときにはＲ１０とＲ０で電源電圧Ｖccが分圧された電圧レベルがＨＰＤ信号ピンに入力されることから、接続を検出することができる（但し、Ｒ０はＲ１０よりも十分に大きいとする）。
【００１３】
図１０に示したシステム構成では、カムコーダなどのＨＤＭＩ  Ｓｏｕｒｃｅ側で電源をオンにしたときに、リセット・スイッチＳＷｒがオンからオフになり、ＣＰＵとＨＤＭＩ制御ＬＳＩがリセット解除されて動作する。その後、ＨＤＭＩ制御ＬＳＩは常に電源オン状態となる。このため、カムコーダの記録動作時、再生動作時であっても再生出力先としてテレビ・モニタが指定されていないとき、あるいは有効なＨＤＭＩ  Ｓｉｎｋがその後に取り外されたときなど、映像信号をＨＤＭＩ  Ｓｉｎｋに出力しない期間においては、ＨＤＭＩ制御ＬＳＩは電力を浪費しているに過ぎない。
【００１４】
【特許文献１】特開２００６−３１９５０２号公報
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ１．３
【発明の開示】
【発明が解決しようとする課題】
【００１５】
本発明の目的は、ＨＤＭＩ規格に則って外部機器と好適に接続することができる、優れた情報処理装置を提供することにある。
【００１６】
本発明のさらなる目的は、ＨＤＭＩ  Ｓｉｎｋとして動作し、ＨＤＭＩ  Ｓｏｕｒｃｅとなる外部機器との接続の有効性を検出し、接続が有効であれば機器情報を取得して適切な映像信号を出力することができる、優れた情報処理装置を提供することにある。
【００１７】
本発明のさらなる目的は、ＨＤＭＩ  Ｓｏｕｒｃｅとの接続の有効性に応じて省電力動作を制御することができる、優れた情報処理装置を提供することにある。
【００１８】
本発明のさらなる目的は、ＨＤＭＩ  Ｓｏｕｒｃｅとの接続の有効性に応じて、ＨＤＭＩ制御ＬＳＩの電源オン／オフ操作を行なうことによって省電力動作を実現することができる、優れた情報処理装置を提供することにある。
【課題を解決するための手段】
【００１９】
本発明は、上記課題を参酌してなされたものであり、所定のインターフェース規格に則って外部機器を接続する情報処理装置であって、
有効に接続された外部機器への信号出力を制御する制御ＬＳＩと、
前記制御ＬＳＩを含む装置内の動作を統括的に制御するＣＰＵを備え、
前記ＣＰＵは、外部機器との接続の有効性を検出する検出手段と、前記検出手段による検出結果に応じて前記制御ＬＳＩのリセット並びにリセット状態の解除を制御する制御ＬＳＩ制御手段と、前記制御ＬＳＩに接続するインターフェース回路を含むことを特徴とする情報処理装置である。
【００２０】
ここで言う所定のインターフェース規格とは、例えば、映像信号の出力に関して取り決めたＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）である。ＨＤＭＩは、ＤＶＩを発展させるとともに、物理層にＴＭＤＳを用いた、主に家電やＡＶ機器向けのデジタル映像及び音声入出力用に策定されたインターフェース規格である。かかる所定のインターフェース規格では、前記外部機器は機器情報を提供することと、ホット・プラグ検出信号を出力することが取り決められている。
【００２１】
映像信号の出力元であるＨＤＭＩ  Ｓｏｕｒｃｅがかむコーダのようなバッテリ駆動機器の場合には、低消費電力化が重要な技術的課題となる。例えば、テレビ・モニタのようなＨＤＭＩ  Ｓｉｎｋが接続されていないときや、記録動作を行なっている期間などＨＤＭＩ  Ｓｉｎｋへ映像信号を出力することのない動作モード下でＨＤＭＩ制御ＬＳＩの電源をオンにし続けることは電力の浪費となり、好ましくない。
【００２２】
本発明に係る情報処理装置は、装置内の動作を統括的に制御するＣＰＵは、ホット・プラグ検出信号を基に外部機器との接続の有効性を検出する検出手段と、前記検出手段による検出結果に応じて前記制御ＬＳＩのリセット並びにリセット状態の解除を制御する制御ＬＳＩ制御手段と、前記制御ＬＳＩに接続するインターフェース回路を含んでいる。したがって、前記制御ＬＳＩ制御手段は、前記検出手段により有効な外部機器が接続されていないときには前記制御ＬＳＩをリセットし、有効な外部機器が接続されたことが検出されたことに応じて前記制御ＬＳＩのリセット状態を解除するという処理を行なうことで、制御ＬＳＩをリセットしてその動作を適宜停止して低消費電力化を図ることができる。また、前記制御ＬＳＩのリセット状態では、前記インターフェース回路の動作を停止することによって、ＣＰＵの低消費電力化を図るようにしてもよい。
【００２３】
ここで、ＣＰＵ側でホット・プラグ検出信号の監視を行なう場合、信号ピンを短い周期で監視する必要があり、ＣＰＵの処理負荷が増えて消費電力が上がることや、ＨＤＭＩ  Ｓｉｎｋの瞬時の切り替え動作に伴うホット・プラグ検出信号のノイズに追従できない、といった問題がある。
【００２４】
そこで、前記制御ＬＳＩと前記検出手段は、前記外部機器から出力されるホット・プラグ検出信号を共有するとともに、前記制御ＬＳＩは、ホット・プラグ検出信号に応答して、前記外部機器から機器情報の読み取る処理動作を起動するようにしてもよい。
【００２５】
制御ＬＳＩは、例えば入力切替え装置を用いたＨＤＭＩ  Ｓｉｎｋの切り替え操作にも十分に追従することができ、ＨＤＭＩ  Ｓｉｎｋから読み取った最新の機器情報を内部レジスタに格納しておく。そして、ＣＰＵは、比較的長い周期を以って制御ＬＳＩ内のレジスタをポーリングすることで、確実に最新の機器情報を取得することができる。したがって、現在接続中のＨＤＭＩ  Ｓｉｎｋ側で対応している解像度に変換して映像信号を出力することが可能となる。
【００２６】
また、ＣＰＵは、ホット・プラグ信号を常に監視する必要はなくなることから、ウェイク状態と、少なくとも一部の回路モジュールの動作を停止させたスリープ状態とを交互に繰り返す間欠動作を行なうことも可能となる。
【発明の効果】
【００２７】
本発明によれば、ＨＤＭＩ  Ｓｉｎｋとして動作し、ＨＤＭＩ  Ｓｏｕｒｃｅとなる外部機器との接続の有効性を検出し、接続が有効であれば機器情報を取得して適切な映像信号を出力することができる、優れた情報処理装置を提供することができる。
【００２８】
また、本発明によれば、ＨＤＭＩ  Ｓｏｕｒｃｅとの接続の有効性に応じて、ＨＤＭＩ制御ＬＳＩの電源オン／オフ操作を行なうことによって省電力動作を実現することができる、優れた情報処理装置を提供することができる。
【００２９】
本発明によれば、ＨＤＭＩ対応テレビ・モニタなどの有効なＨＤＭＩ  Ｓｉｎｋを接続しないときのＣＰＵの動作消費電力をさらに削減することができる。カムコーダのように、屋外で撮影を行なう場合にはテレビ・モニタを接続しないので、使用しない回路ブロックの電源を落とすことで、撮影時間をより長くすることができる。
【００３０】
本発明のさらに他の目的、特徴や利点は、後述する本発明の実施形態や添付する図面に基づくより詳細な説明によって明らかになるであろう。
【発明を実施するための最良の形態】
【００３１】
以下、図面を参照しながら本発明の実施形態について詳解する。
【００３２】
図１には、ＨＤＭＩインターフェースを備えたカムコーダの構成を模式的に示している。
【００３３】
撮影部１１は、被写体像を取り込むレンズ、入力光量に応じて光電変換により電気的な画像信号を生成するＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｎｔａｌ−Ｏｘｉｄｅ  Ｓｅｍｉｃｏｎｄｕｃｔｏｒ）などの固体撮像素子、画像信号をデジタル変換するＡ／Ｄ変換器、デジタル画像信号からＲＧＢ信号を算出するデモザイク処理部など（図示を省略）で構成される。このＲＧＢ画像は、例えば、液晶表示パネル制御ＬＳＩ１２で駆動制御される装置内蔵の液晶表示パネル１３に表示出力される。あるいは、ＨＤＭＩ制御ＬＳＩ１４を介して外部接続されるＨＤＭＩ対応テレビ・モニタ１５に表示出力される。
【００３４】
コーデックＬＳＩ１６は、撮影部で捕捉された動画像ストリームや静止画の符号化及び復号処理を行なう。具体的には、撮影部１１から入力される画像データをＭＰＥＧ若しくはＪＰＥＧなどの所定の画像フォーマットで符号化して、メディア・インターフェース１７を通して、内蔵ハード・ディスク、あるいはＤＶＤやメモリカードといった可搬型メディア１８に格納される。また、コーデックＬＳＩ１６は、メディア１８から読み出した符号化画像データを復号処理して、液晶表示パネル制御ＬＳＩ１２を通して液晶表示パネル１３に表示出力し、あるいはＨＤＭＩ制御ＬＳＩ１４を通してＨＤＭＩ対応テレビ・モニタ１５に外部出力する。
【００３５】
信号制御ＬＳＩ１９は、撮影部１１から入力される映像信号や、メディア１８から読み出された映像信号の振り分け処理を行なう。
【００３６】
ＣＰＵ（Ｃｅｎｔｒａｌ  Ｐｒｏｃｅｓｓｉｎｇ  Ｕｎｉｔ）２１は、所定のプログラム・コードを実行して、操作入力インターフェース２０を通して入力されるユーザからの指示に従って、当該装置全体の動作を統括的にコントロールする。操作入力インターフェース２０からは、例えば、電源のオン／オフ、撮影部で捕捉した映像データのメディア１８への記録の開始並びに停止、メディアに記録した映像データの再生の開始並びに停止などの指示が入力される。
【００３７】
続いて、このカムコーダの動作について説明する。
【００３８】
操作入力インターフェース２０で用意されている電源ボタンをオンにすると、ＣＰＵ２１が起動し、撮像部１１、信号制御ＬＳＩ１９、液晶表示パネルＬＳＩ１２を制御して、カメラ映像を液晶表示パネル１３に出力する。また、信号制御ＬＳＩ１９は、ローカル・メモリ２２を使用して、液晶表示パネル１３に適切な信号を送る。例えば、撮像部１１からの映像像号の画像サイズが１９２０×１０８０画素で、液晶表示パネル１３の解像度が６４０×４８０画素であるならば、縮小した映像信号を生成して、液晶表示パネル制御ＬＳＩ１２に送る。このとき、ＣＰＵ２１によりＨＤＭＩ制御ＬＳＩ１４は電源オフ（すなわち、リセット状態）のままである。
【００３９】
また、操作入力インターフェース２０で用意されている記録ボタンが押されると、ＣＰＵ２１は信号制御ＬＳＩ１９、コーデックＬＳＩ１６、メディア・インターフェース１７を制御して、カメラ映像をＭＰＥＧなどの所望の画像フォーマットにエンコードしてメディア１８に記録する。このとき、信号制御ＬＳＩ１９はローカル・メモリ２２を使用して、コーデックＬＳＩ１６に適切な信号を送る。例えば、撮像部１１からの映像信号の画像サイズが１９２０×１０８０画素で、メディア１８の記録フォーマットが７２０×４８０画素であるならば、縮小した映像信号を生成して送る。
【００４０】
また、操作入力インターフェース２０で用意されている再生ボタンが押されると、ＣＰＵ２１は撮像部１１を電源オフし、信号制御ＬＳＩ１９、コーデックＬＳＩ１６、メディア・インターフェース１７、ＨＤＭＩ制御ＬＳＩ１４、液晶表示パネルＬＳＩ１２を制御して、記録メディア１８から読み出された符号化映像ストリームをコーデックＬＳＩ１６で復号して、映像信号を液晶表示パネル制御ＬＳＩ１２に送る。
【００４１】
このとき、ＨＤＭＩ端子にテレビ・モニタ１５が接続されているかどうかは、ＨＤＭＩインターフェース・コネクタに含まれるＨＰＤ（Ｈｏｔ  Ｐｌｕｇ  Ｄｅｔｅｃｔ：ホット・プラグ検出）信号ピンから検出することができる。そして、ＨＤＭＩ対応テレビ・モニタ１５の接続を検出できたときには、ＣＰＵ２１は、ＨＤＭＩ制御ＬＳＩ１４を電源オン（リセット解除）し、ＨＤＭＩ制御ＬＳＩ１４を通じてテレビ・モニタ１５からＥＤＩＤ（解像度情報）を取得すると、これを信号制御ＬＳＩ１９に指示する。信号制御ＬＳＩ１９は、ＥＤＩＤに基づいて、テレビ・モニタ１５が表示可能な映像信号を出力する。例えば、メディア１８に記録された映像の解像度が１９２０×１０８０画素であるが、テレビ・モニタ１５が７２０×４８０画素サイズしか表示できないことをＥＤＩＤが示しているならば、信号制御ＬＳＩ１９は縮小した映像信号を生成してＨＤＭＩ制御ＬＳＩ１４へ送る。
【００４２】
カムコーダのようなバッテリ駆動の機器は、消費電力の低減が重要な技術的課題の１つとなる。勿論、商用ＡＣ電源を利用可能な機器であっても、社会生態学的な観点からは、いっそうの省電力化が好ましい。
【００４３】
例えば、図１に示したカムコーダのシステム構成において、ＨＤＭＩ対応テレビ・モニタ１５などの有効なＨＤＭＩ  Ｓｉｎｋが外付け接続されているときのみ、ＨＤＭＩ制御ＬＳＩ１４の電源をオンにし、それ以外の場合は電源オフにして、不要な電力の消費を抑えることが好ましい。
【００４４】
図２には、ＨＤＭＩ  ＳｉｎｋとしてのカムコーダがＨＤＭＩ制御ＬＳＩ１４を通してＨＤＭＩ  Ｓｏｕｒｃｅとしてのテレビ・モニタ１５を接続している様子を示している。図示の接続形態によれば、ＨＤＭＩ  Ｓｉｎｋ側では、ＨＤＭＩ  Ｓｏｕｒｃｅとの接続の有効性に応じて、ＨＤＭＩ制御ＬＳＩ１４の電源オン／オフ操作を行なうことによって省電力動作を実現することができる。
【００４５】
有効なＨＤＭＩ対応テレビ１５が接続されているかどうかは、ＨＰＤ信号ピンから検出することができる。図示のように、テレビ・モニタ１５側では、ＨＰＤ信号ピンはプルアップ抵抗Ｒ１０を介して電源電圧Ｖccに接続されている。図１０に示した接続形態では、ＨＤＭＩ  Ｓｏｕｒｃｅ側では、ＨＰＤ信号ピンをＨＤＭＩ制御ＬＳＩ１４に入力しているが、図２に示す接続形態では、ＣＰＵ２１にＨＰＤ信号ピンが直接入力されている。ＨＰＤ信号ピンはプルダウン抵抗Ｒ０を介して接地されているが、テレビ・モニタ１５が接続されているときにはＲ１０とＲ０で電源電圧Ｖccが分圧された電圧レベルがＨＰＤ信号ピンに入力される。したがって、ＣＰＵ２１は、その接続の有効性を、ＨＤＭＩ制御ＬＳＩ１４の介在なしに検出することができる（但し、Ｒ０はＲ１０よりも十分に大きいとする）。
【００４６】
また、図１０に示した接続形態では、ＨＤＭＩ  Ｓｏｕｒｃｅ側で電源をオンにしたときに、リセット・スイッチＳＷｒがオンからオフになり、ＣＰＵ２１とＨＤＭＩ制御ＬＳＩ１４がリセット解除されて動作し、その後、ＨＤＭＩ制御ＬＳＩ１４は常に電源オン状態となる。これに対し、図２に示す接続形態では、ＨＤＭＩ  Ｓｏｕｒｃｅ側で電源をオンにしたときに、リセット・スイッチＳＷｒがオンからオフになり、ＣＰＵ２１のみがリセット解除されて動作する。また、ＣＰＵ２１はＨＤＭＩ制御ＬＳＩ１４をリセット並びにリセット解除するためのスイッチＳＷ２０を備えており、任意のタイミングでＨＤＭＩ制御ＬＳＩ１４の電源オン／オフを制御することができる。
【００４７】
例えば、システム全体の電源をオンにしたとき、リセットボタンＳＷｒがオンからオフに転じて、ＣＰＵ２１が動作する。ＣＰＵ２１は、その後、本装置が映像を出力する状態（モード）になり、なお且つ、ＨＤＭＩ  ＳｉｎｋからＨＰＤ信号レベルがハイになることを一定周期で監視し、ＳＷ２０をＯＮにして、ＨＤＭＩ制御ＬＳＩ１４を有効にする。
【００４８】
但し、ＣＰＵ２１側ではＨＰＤ信号ピンの信号レベルをポーリングにより一定周期で監視する必要があることから、高速なＨＰＤ信号ノイズを検出できないという問題がある。このため、ＨＤＭＩ  Ｓｉｎｋ側の機器の電源瞬断が起こった場合にはＨＤＭＩ制御ＬＳＩを再起動する必要があるが、これに追従することができない。また、図３に示すように、入力切替装置を用いて１台のＨＤＭＩ  Ｓｏｕｒｃｅに対して複数のＨＤＭＩ  Ｓｉｎｋのいずれかを接続切り替えするという使用例が想定されるが、瞬時の切り替え動作はＨＰＤ信号のノイズとしてしか現れないため（図３Ｂを参照のこと）、ＨＤＭＩ  Ｓｏｕｒｃｅがノイズを検出できなければ、切り替え先のＨＤＭＩ  ＳｉｎｋからＥＤＩＤを取得することができない。この結果、出力映像信号を適切な解像度に変更することができず、機器の故障原因にもなりかねない。
【００４９】
ノイズに等しいＨＰＤ信号の変動を検出するには、ＨＰＤ信号ピンをポーリングする周期を短くし、信号のエッジでＣＰＵ２１に対する割り込みを発生させる必要があるが、この場合はＣＰＵ２１の処理時間が増える、つまりＣＰＵ２１の消費電力が増加してしまう。
【００５０】
図４には、ＨＤＭＩ  ＳｉｎｋとしてのカムコーダがＨＤＭＩ制御ＬＳＩ１４を通してＨＤＭＩ  Ｓｏｕｒｃｅとしてのテレビ・モニタ１５を接続する他の構成例を示している。図示の接続形態も、ＨＤＭＩ  Ｓｉｎｋ側では、ＨＤＭＩ  Ｓｏｕｒｃｅとの接続の有効性に応じて、ＨＤＭＩ制御ＬＳＩ１４の電源オン／オフ操作を行なうことによって省電力動作を実現するが、図２に示した接続形態とは相違し、ＨＤＭＩ  Ｓｉｎｋ側の電源瞬断や高速な入力切り替えにも対応することができる。
【００５１】
有効なＨＤＭＩ対応テレビが接続されているかどうかは、ＨＰＤ信号ピンから検出することができる。図示のように、テレビ・モニタ１５側では、ＨＰＤ信号ピンはプルアップ抵抗Ｒ１０を介して電源電圧Ｖccに接続されている（但し、Ｒ０はＲ１０よりも十分に大きいとする）。図４に示す例では、ＨＤＭＩ  Ｓｉｎｋ側から出力されるＨＰＤ信号をＣＰＵ２１とＨＤＭＩ制御ＬＳＩ１４で共有している。
【００５２】
ＣＰＵ２１は、ＨＤＭＩ  Ｓｉｎｋの接続という大きな変化を認識して、ＨＤＭＩ制御ＬＳＩ１４のリセット状態を解除する。ＨＤＭＩ制御ＬＳＩ１４がリセット状態のは間は、その消費電力を低減することができる。
【００５３】
また、ＣＰＵ２１は、当該ＨＤＭＩ  Ｓｏｕｒｃｅが映像信号を出力する動作状態ではないときには、ＨＤＭＩ制御ＬＳＩ１４をリセット状態にして、消費電力を低減することができる。
【００５４】
一方、ＨＤＭＩ  Ｓｉｎｋ側における電源の瞬断や高速な入力切り替え（図３を参照のこと）が起こったときには、その際に発生するＨＰＤ信号ノイズをＨＤＭＩ制御ＬＳＩ１４で検出することができる。そして、ＨＤＭＩ制御ＬＳＩ１４は、その都度、ＨＤＭＩ  Ｓｉｎｋ側からＥＤＩＤを再取得し、ＣＰＵ２１は新たに得られた解像度情報を基に、常に最適な映像出力を行なうことができる。
【００５５】
このように、ＣＰＵ２１は、ＨＰＤ信号のモニタリングのために短い周期でポーリングを行なう必要はないことから、ウェイク状態とスリープ状態を交互に繰り返す間欠動作が可能であり、ＣＰＵ２１の消費電力を低減することができる。ＣＰＵ２１のスリープ状態では、ＨＤＭＩ制御ＬＳＩ１４のみがＨＰＤ信号のモニタリングを行なう。ここで言うスリープ状態は少なくとも一部の回路モジュールの動作を停止させた状態であるが、ＣＰＵの特定の状態に限定されるものではない。
【００５６】
図５には、図４に示した接続形態における、ＣＰＵ２１及びＨＤＭＩ制御ＬＳＩ１４の動作タイミングチャートを示している。図示の例では、ＣＰＵ２１は１００ミリ秒を１周期としてウェイク状態とスリープ状態を交互に繰り返す間欠動作を行なうものとする。また、初期状態では、ＨＰＤ制御ＬＳＩ１４はリセットされているものとする。ここでは、図３に示したように、入力切替装置を介して複数のＨＤＭＩ  Ｓｉｎｋが接続され、いずれかに接続切り替えできることを想定している。
【００５７】
ＣＰＵ２１がスリープ状態のときに、ＨＤＭＩ対応テレビ・モニタ１５などの有効なＨＤＭＩ  Ｓｉｎｋが接続され、ＨＰＤ信号がロー・レベルからハイ・レベルに転じたとする。
【００５８】
ＣＰＵ２１は、次にウェイクしたタイミングで、ポーリングによりＨＰＤ信号を検出することができ、これに応じて、ＨＰＤ制御ＬＳＩ１４のリセット状態を解除する。そして、ＨＰＤ制御ＬＳＩ１４は、ＨＤＭＩ  Ｓｉｎｋ内のＥＤＩＤ  ＲＯＭからＥＤＩＤを読み出して、ＨＤＭＩ  Ｓｉｎｋ側で対応している解像度に変換して、ＨＤＭＩ  Ｓｏｕｒｃｅへ映像信号を出力することが可能となる。
【００５９】
その後、ＣＰＵ２１は、自分に直接入力されるＨＰＤ信号を基に、有効なＨＤＭＩ  Ｓｉｎｋが接続されていることが検出されている間は、ＨＤＭＩ制御ＬＳＩ１４のリセット解除状態を継続させる。また、ＣＰＵ２１は、ウェイク状態とスリープ状態を１００ミリ秒の間で交互に繰り返す周期的な間欠動作を行ない続ける。
【００６０】
ここで、ＣＰＵ２１がスリープ状態の間に、入力切替え装置でＨＤＭＩ  Ｓｏｕｒｃｅの接続切り替えが数回行なわれたとする。ＨＤＭＩ制御ＬＳＩ１４は、ＨＤＭＩ  Ｓｉｎｋから出力されるＨＰＤ信号を共有しているので、リセット解除状態では、ＣＰＵ２１がスリープしていても、ＨＰＤ信号を基にＨＤＭＩ  Ｓｉｎｋの接続切り替えを検出することができる。そして、ＨＤＭＩ制御ＬＳＩ１４は、ＨＰＤ信号の検出に応じてＥＤＩＤの読み取り動作を起動するように構成されており、ＨＤＭＩ  Ｓｉｎｋの接続切り替えに追従して、逐次、ＨＤＭＩ  Ｓｉｎｋ内のＥＤＩＤ  ＲＯＭ（図示しない）からＥＤＩＤを読み出して、内部レジスタに書き込んでおく。
【００６１】
その後、ＣＰＵ２１は、スリープ状態からウェイクすると、ＨＤＭＩ制御ＬＳＩ内のレジスタをポーリングして、ＨＤＭＩ  Ｓｉｎｋの接続切り替えが行なわれたことを検知するとともに、最新のＥＤＩＤを取得することができる。したがって、現在接続中のＨＤＭＩ  Ｓｉｎｋ側で対応している解像度に変換して映像信号を出力することが可能となる。
【００６２】
また、図５には示していないが、ＣＰＵ２１は、ウェイク状態において、ＨＰＤ信号がロー・レベル、すなわち有効なＨＤＭＩ  Ｓｉｎｋが接続されていない（取り外された）ことを検出したときには、スイッチＳＷ２０をオフにして、ＨＤＭＩ制御ＬＳＩ１４をリセット状態に遷移させ、その消費電力を削減することができる。
【００６３】
このように本実施形態によれば、ＣＰＵ２１は、ＨＤＭＩ  Ｓｉｎｋの接続切り替えに追従するために、ＨＰＤ信号ピンの信号レベルを短い周期でポーリングする必要はないから、処理負荷が増すことはない。また、ＣＰＵ２１は、ＨＤＭＩ  Ｓｉｎｋの監視だけの目的でウェイクしている必要はなく、適宜スリープ状態に遷移して、低消費電力化を図ることができる。
【００６４】
図６には、図５に示したような動作を実現するための、ＨＤＭＩ  Ｓｏｕｒｃｅ内のＣＰＵ２１において実行される処理手順をフローチャートの形式で示している。
【００６５】
ＨＤＭＩ  Ｓｏｕｒｃｅの電源が投入された際には、初期状態として、ＣＰＵ２１はスイッチＳＷ２０をオフにして、ＨＤＭＩ制御ＬＳＩをリセットしておく（ステップＳ１）。
【００６６】
次いで、ＣＰＵ２１は、ＨＤＭＩ  Ｓｏｕｒｃｅ自体の現在の動作モードを確認する。すなわち、ＨＤＭＩ  Ｓｏｕｒｃｅがカムコーダであれば、再生ボタンが押されているなど、ＨＤＭＩ制御ＬＳＩ１４を通してＨＤＭＩ  Ｓｉｎｋ側へ映像信号を出力する動作モードであるかどうかをチェックする（ステップＳ２）。
【００６７】
ここで、ＨＤＭＩ  Ｓｉｎｋ側への映像信号の出力が無効となっている動作モードが確認されたときには、ＣＰＵ２１は、ＳＷ２０をオフにし（ステップＳ９）、ＨＤＭＩ制御ＬＳＩ１４をリセットして、低消費電力化を図る。
【００６８】
一方、ＨＤＭＩ  Ｓｉｎｋ側への映像信号の出力が有効となっている動作モードが確認されたときには、ＣＰＵ２１は、自分に入力されているＨＰＤ信号ピンのレベルを検出する（ステップＳ３）。
【００６９】
ＨＰＤ信号がロー・レベルのときには、有効なＨＤＭＩ  Ｓｉｎｋが接続されていない状態であり、例えば内蔵の液晶表示パネルに映像信号を出力するより他はない。すなわち、ＨＤＭＩ制御ＬＳＩ１４から映像信号を出力する必要はないから、ＣＰＵ２１は、ＳＷ２０をオフにし（ステップＳ９）、ＨＤＭＩ制御ＬＳＩ１４をリセットして、低消費電力化を図る。
【００７０】
また、ＨＰＤ信号がハイ・レベルのときには、有効なＨＤＭＩ  Ｓｉｎｋが接続されている状態であり、ＨＤＭＩ制御ＬＳＩ１４からＨＤＭＩ  Ｓｉｎｋへ映像信号を出力する必要がある。したがって、ＣＰＵ２１はＳＷ２０をオンにして（ステップＳ５）、ＨＤＭＩ制御ＬＳＩ１４のリセット状態を解除する。
【００７１】
その後、ＣＰＵ２１は、処理すべきタスクがない状態では、スリープ状態に繊維して（ステップＳ６）、スリープ・タイマが消滅するまで（ステップＳ７）、スリープ状態を継続する。
【００７２】
そして、スリープ・タイマが消滅すると、ＣＰＵ２１はウェイク状態に遷移して（ステップＳ８）、ステップＳ２に戻り、動作モードに応じたＨＤＭＩ制御ＬＳＩのリセット又はリセット解除の制御を繰り返し行なう。
【００７３】
図７には、図４に示したＨＤＭＩ  Ｓｏｕｒｃｅの変形例を示している。
【００７４】
図４中では図示を省略したが、ＣＰＵ２１は、ＨＤＭＩ制御ＬＳＩと相互接続するための内部インターフェース（Ｉ／Ｆ）回路を備えている。この種のインターフェース回路は、一般に、Ｉ2Ｃ（Ｉｎｔｅｒ−Ｉｎｔｅｇｒａｔｅｄ  Ｃｉｒｃｕｉｔ）あるいはＳＩＯ（Ｓｅｒｉａｌ  Ｐｅｒｉｐｈｅｒａｌ  Ｉｎｔｅｒｆａｃｅ）などが使用される。
【００７５】
ＣＰＵ２１は、ＨＰＤ信号を直接入力しており、ＨＤＭＩ  Ｓｉｎｋとの接続の有効性を検出することができる。そして、有効な接続が確認されなかったときには、スイッチＳＷ３０をオフにして、内部インターフェース回路の動作を停止し、低消費電力化を図る。
【００７６】
これにより、ＨＤＭＩ対応テレビ・モニタなどの有効なＨＤＭＩ  Ｓｉｎｋを接続しないときのＣＰＵ２１の動作消費電力をさらに削減することができる。カムコーダのように、屋外で撮影を行なう場合にはテレビ・モニタを接続しないので、使用しない回路ブロックの電源を落とすことで、撮影時間をより長くすることができる。
【産業上の利用可能性】
【００７７】
以上、特定の実施形態を参照しながら、本発明について詳解してきた。しかしながら、本発明の要旨を逸脱しない範囲で当業者が該実施形態の修正や代用を成し得ることは自明である。
【００７８】
本明細書では、ＨＤＭＩケーブル越しにＨＤＭＩ  ＳｏｕｒｃｅとＨＤＭＩ  Ｓｉｎｋが接続されるＨＤＭＩ通信システムに適用した実施形態を中心に説明してきたが、本発明の要旨はこれに限定されるものではない。外部機器が機器情報（ＥＤＩＤ）を提供するとともに機器情報の読み取り動作を起動するためのホット・プラグ検出（ＨＰＤ）信号を出力することを取り決めたインターフェース規格に則って外部機器を接続することができるさまざまな情報処理装置に対して、本発明を同様に適用することができる。
【００７９】
要するに、例示という形態で本発明を開示してきたのであり、本明細書の記載内容を限定的に解釈するべきではない。本発明の要旨を判断するためには、特許請求の範囲を参酌すべきである。
【図面の簡単な説明】
【００８０】
【図１】図１は、ＨＤＭＩインターフェースを備えたカムコーダの構成を模式的に示した図である。
【図２】図２は、ＨＤＭＩ  ＳｉｎｋとしてのカムコーダがＨＤＭＩ制御ＬＳＩ１４を通してＨＤＭＩ  Ｓｏｕｒｃｅとしてのテレビ・モニタ１５を接続している様子示した図である。
【図３Ａ】図３Ａは、入力切替装置を用いて１台のＨＤＭＩ  Ｓｏｕｒｃｅに対して複数のＨＤＭＩ  Ｓｉｎｋを接続する様子を示した図である。
【図３Ｂ】図３Ｂは、入力切替装置で複数のＨＤＭＩ  Ｓｉｎｋのいずれかに接続切り替えを行なった再のＨＰＤ信号の挙動を示した図である。
【図４】図４は、ＨＤＭＩ  ＳｉｎｋとしてのカムコーダがＨＤＭＩ制御ＬＳＩ１４を通してＨＤＭＩ  Ｓｏｕｒｃｅとしてのテレビ・モニタ１５を接続する他の構成例を示した図である。
【図５】図５は、図４に示した接続形態における、ＣＰＵ２１及びＨＤＭＩ制御ＬＳＩ１４の動作タイミングチャートを示した図である。
【図６】図６は、図５に示したような動作を実現するための、ＨＤＭＩ  Ｓｏｕｒｃｅ内のＣＰＵ２１において実行される処理手順を示したフローチャートである。
【図７】図７は、
【図８】図８は、ＨＤＭＩケーブル越しにＨＤＭＩ  ＳｏｕｒｃｅとＨＤＭＩ  Ｓｉｎｋが接続されるＨＤＭＩ通信システムの構成を模式的に示した図である。
【図９】図９は、ＨＤＭＩインターフェース・コネクタのピン配列（但し、タイプＡ）を示した図である。
【図１０】図１０は、ＨＤＭＩ  ＳｉｎｋとしてのカムコーダがＨＤＭＩ制御ＬＳＩを通してＨＤＭＩ  Ｓｏｕｒｃｅとしてのテレビ・モニタを接続している様子を模式的に示した図である。
【符号の説明】
【００８１】
１１…撮影部
１２…液晶表示パネル制御ＬＳＩ
１３…液晶表示パネル
１４…ＨＤＭＩ制御ＬＳＩ
１５…ＨＤＭＩ対応テレビ・モニタ
１６…コーデックＬＳＩ
１７…メディア・インターフェース
１８…可搬型メディア
１９…信号処理ＬＳＩ
２０…操作入力インターフェース
２１…ＣＰＵ
２２…メモリ
【図１】
2008158595.tif 000004
【図２】
2008158595.tif 000005
【図３Ａ】
2008158595.tif 000006
【図３Ｂ】
2008158595.tif 000007
【図４】
2008158595.tif 000008
【図５】
2008158595.tif 000009
【図６】
2008158595.tif 000010
【図７】
2008158595.tif 000011
【図８】
2008158595.tif 000012
【図９】
2008158595.tif 000013
【図１０】
2008158595.tif 000014